(57)【要約】【課題】表示部における消費電力を低減することができる給湯器のリモコン装置を提供する。【解決手段】給湯器５０の動作が可能な運転状態において給湯器５０の給湯運転が停止しているときに、作動状態表示部３０を点灯状態とする「通常表示モード」と、前記運転状態において給湯器５０の給湯運転が停止しているときに、作動状態表示部３０を消灯状態とする「省電力表示モード」とを切替える省電力スイッチ１７を備えたリモコン装置１において、前記運転状態及び給湯器５０の作動が不能な待機状態において時刻表示部３１を点灯状態とする「時刻表示モード」と、前記運転状態及び前記待機状態において時刻表示部３１を消灯状態とする「時刻非表示モード」とを切替える時刻表示切替スイッチ１３を備える。【選択図】  図１
2006162112.tif 000002
【特許請求の範囲】
【請求項１】
給湯器を遠隔操作するリモコン装置であって、
前記給湯器の給湯運転が可能な運転状態と前記給湯器の給湯運転が不能な待機状態とを切替える運転スイッチと、
計時手段と、
前記給湯器の作動状態を点灯表示する作動状態表示部と、前記計時手段による計時時刻を点灯表示する時刻表示部とを有する表示手段と、
前記運転状態において前記給湯器の給湯運転が停止しているときに、前記作動状態表示部を点灯状態とする「通常表示モード」と、前記運転状態において前記給湯器の給湯運転が停止しているときに、所定の条件により前記作動状態表示部を点灯状態又は消灯状態とする「省電力表示モード」とを切替える省電力スイッチとを備えたリモコン装置において、
前記運転状態において前記時刻表示部を点灯状態とする「時刻表示モード」と、前記運転状態において前記時刻表示部を消灯状態とする「時刻非表示モード」とを切替える時刻表示切替スイッチを備えたことを特徴とする給湯器のリモコン装置。
【請求項２】
前記運転状態において前記時刻切替スイッチにより前記「時刻表示モード」に設定され、且つ、前記省電力スイッチにより前記「省電力表示モード」に設定されて前記所定の条件により前記作動状態表示部が消灯状態となったときに、前記時刻表示部における時刻表示を禁止して前記時刻表示部を消灯状態とする時刻表示禁止手段を備えたことを特徴とする請求項１記載の給湯器のリモコン装置。
【請求項３】
前記計時手段による計時開始時刻を設定する時刻設定スイッチと、
前記「時刻非表示モード」において、該時刻設定スイッチにより前記計時手段による計時開始時刻の設定がなされていないときに、前記時刻表示部を点灯状態として計時開始時刻が設定されていないことを示す表示を行なう時刻未設定表示手段とを備えたことを特徴とする請求項１又は請求項２記載の給湯器のリモコン装置。
【発明の詳細な説明】
【技術分野】
【０００１】
本発明は、表示部の省電力処理を行う給湯器のリモコン装置に関する。
【背景技術】
【０００２】
従来より、給湯器を遠隔操作するリモコン装置においては、給湯器の作動状態や時刻を表示するための表示手段が備えられている。そして、表示手段における消費電力を抑制するために、予め設定された時刻になったときに表示手段の点灯／消灯を行なうようにしたリモコン装置や、自動湯張り運転の開始時に表示手段を点灯状態とし、自動湯張り運転の終了時に点灯手段を消灯状態にするようにしたリモコン装置が提案されている（例えば特許文献１参照）。
【０００３】
かかる従来のリモコン装置によれば、点灯表示手段を点灯状態とする時期を制限することにより点灯表示手段の消費電力を抑制することができるが、さらなる消費電力の低減に対する要請がある。
【特許文献１】特開２０００−２２０８８６号公報
【発明の開示】
【発明が解決しようとする課題】
【０００４】
本発明は上記背景を鑑みてなされたものであり、表示部における消費電力を低減することができる給湯器のリモコン装置を提供することを目的とする。
【課題を解決するための手段】
【０００５】
本発明は上記目的を達成するためになされたものであり、給湯器を遠隔操作するリモコン装置であって、前記給湯器の給湯運転が可能な運転状態と前記給湯器の給湯運転が不能な待機状態とを切替える運転スイッチと、計時手段と、前記給湯器の作動状態を点灯表示する作動状態表示部と、前記計時手段による計時時刻を点灯表示する時刻表示部とを有する表示手段と、前記運転状態において前記給湯器の給湯運転が停止しているときに、前記作動状態表示部を点灯状態とする「通常表示モード」と、前記運転状態において前記給湯器の給湯運転が停止しているときに、所定の条件により前記作動状態表示部を点灯状態又は消灯状態とする「省電力表示モード」とを切替える省電力スイッチとを備えたリモコン装置の改良に関する。
【０００６】
そして、前記運転状態において前記時刻表示部を点灯状態とする「時刻表示モード」と、前記運転状態において前記時刻表示部を消灯状態とする「時刻非表示モード」とを切替える時刻表示切替スイッチを備えたことを特徴とする。
【０００７】
かかる本発明によれば、前記時刻表示部による時刻表示が不要と判断した使用者は、前記時刻表示切替スイッチを操作して前記「時刻非表示モード」とし、前記運転状態において前記時刻表示部を消灯状態にすることができるため、使い勝手が向上すると共に前記表示手段の消費電力を低減することができる。また、前記表示部の省電力処理を行うリモコン装置において、前記省電力スイッチにより前記運転状態における前記作動状態表示部の省電力処理の有無を切り替えることができ、前記時刻表示切替スイッチにより前記運転状態における前記時刻表示部の点灯と消灯を切り替えることができる。そのため、使用者は、前記作動状態表示部と前記時刻表示部の省電力処理の有無を別個に設定することができ、使用者の使い勝手を向上させると共に前記表示部の消費電力の低減を図ることができる。
【０００８】
また、前記時刻切替スイッチにより前記「時刻表示モード」に設定され、且つ、前記省電力スイッチにより前記「省電力表示モード」に設定された状態で、前記給湯器の給湯運転が停止しているときに、前記時刻表示部における時刻表示を禁止して前記時刻表示部を消灯状態とする時刻表示禁止手段を備えたことを特徴とする。
【０００９】
かかる本発明によれば、使用者は、前記「時刻表示モード」において、前記省電力スイッチを操作して前記「省電力表示モード」に設定することにより、該省電力スイッチの操作を優先させて、前記運転状態で前記給湯器が給湯運転を停止しているときに、前記作動状態表示部と共に前記時刻表示部も消灯状態として、前記表示手段の消費電力をさらに低減することができる。
【００１０】
また、前記計時手段による計時開始時刻を設定する時刻設定スイッチと、前記「時刻非表示モード」において、該時刻設定スイッチにより前記計時手段による計時開始時刻の設定がなされていないときに、前記時刻表示部を点灯状態として計時開始時刻が設定されていないことを示す表示を行なう時刻未設定表示手段とを備えたことを特徴とする。
【００１１】
かかる本発明によれば、前記「時刻非表示モード」であっても、前記計時手段による計時開始時刻が設定されていないときには、前記時刻表示部を点灯状態として計時開始時刻が設定されていないことを示す表示をすることにより、使用者に計時開始時刻の設定を促すことができる。
【発明を実施するための最良の形態】
【００１２】
本発明の実施の形態について、図１〜図３を参照して説明する。図１は本発明の給湯器のリモコン装置の構成図、図２〜図３は図１に示したリモコン装置の作動フローチャートである。
【００１３】
図１を参照して、リモコン装置１は給湯器５０を遠隔操作するものであり、給湯器５０の作動状態を表示する作動状態表示部３０と時刻を表示する時刻表示部３１とを有する表示手段１０、給湯器５０の給湯運転が可能な運転状態と給湯運転が不能な待機状態とを切替える運転スイッチ１１、浴槽（図示しない）に所定量の湯を供給する自動湯張り運転の開始を指示する自動スイッチ１２、時刻表示部３１の点灯／消灯の切替え及び時刻設定モードへの移行を指示する時計スイッチ１３、時刻設定モードにおいて現在時刻及び自動湯張り運転の予約時刻を設定する時設定スイッチ１４と分設定スイッチ１５、自動湯張り運転の予約を設定する風呂予約スイッチ１６、作動状態表示部３０の点灯／消灯を切替えるセーブスイッチ１７（本発明の省電力スイッチに相当する）、スピーカ２１の出力レベルを変更する音量スイッチ１８、及び給湯温度の上げ下げを指示するＵＰスイッチ２０とＤＯＷＭスイッチ１９を備えている。
【００１４】
また、リモコン装置１に内蔵されたマイクロコンピュータ４０によりリモコン装置１の作動が制御され、マイクロコンピュータ４０は通信回路４５を介して給湯器５０との間で制御信号の送受信等を行なう。そして、マイクロコンピュータ４０は、各スイッチが操作されたときに、操作内容に応じてリモコン装置１の作動を制御すると共に、操作内容に応じた制御信号を通信回路４５を介して給湯器５０に送信する。
【００１５】
例えば、運転スイッチ１１が操作される毎に、マイクロコンピュータ４０は、給湯器５０の給湯運転が可能な運転状態と、給湯器５０の給湯運転が不能な待機状態とを切替える。ここで、運転状態においては各スイッチの操作が有効となるが、待機状態においては運転スイッチ１１以外のスイッチの操作は無効となり、使用者は自動スイッチ１２を操作して自動湯張り運転の開始指示等を行なうことができない。
【００１６】
また、セーブスイッチ１７が操作される毎に、マイクロコンピュータ４０は、運転状態で給湯器５０の給湯運転が実行されていないときに作動状態表示部３０を点灯状態にする「通常表示モード」と、運転状態で給湯器５０の給湯運転が実行されていないときに作動状態表示部３０を所定の条件により点灯状態又は消灯状態にする「省電力表示モード」とを切替える。
【００１７】
なお、「省電力表示モード」において、作動状態表示部３０を所定の条件により点灯状態又は消灯状態とする態様としては、例えば、いずれかのスイッチが操作された時から所定時間のみ作動状態表示部３０を点灯する態様や、使用者の活動時間帯（起床時〜就寝時）にのみ作動状態表示部３０を点灯する態様がある。
【００１８】
また、時計スイッチ１３の操作に応じて、マイクロコンピュータ４０は、運転状態及び待機状態において時刻表示部３１を点灯状態にする「時刻表示モード」と、運転状態及び待機状態において時刻表示部３１を消灯状態にする「時刻非表示モード」とを切替える。
【００１９】
また、マイクロコンピュータ４０は、現在時刻を計時する計時手段４１と、時刻表示禁止手段４２と、時刻未設定表示手段４３とを備えている。時刻表示禁止手段４２と時刻未設定表示手段４３については後述する。
【００２０】
次に、図２〜図３に示したフローチャートに従って、マイクロコンピュータ４０による時計表示部３１の点灯／消灯の制御について説明する。
【００２１】
給湯器５０に電源が投入されると、給湯器５０から供給される電源によってリモコン装置１は作動を開始する。そして、マイクロコンピュータ４０は、ＳＴＥＰ１で、既に計時手段４１の計時開始時刻が設定されて計時手段による計時が実行されているか否かを判断し、計時手段４１による計時が実行されていなかったときはＳＴＥＰ１０に分岐する。
【００２２】
ＳＴＥＰ１０は時刻未設定表示手段４３による処理であり、時刻未設定表示手段４３は、「時刻表示モード」であるか「時刻非表示モード」であるかに拘らず、また、「通常表示モード」であるか「省電力表示モード」であるかに拘らず、時刻表示部３１を点灯状態にして、計時手段４１の計時開始初期値が設定されていないことを報知する表示（例えば［  −：−−］の点滅表示）を行なう。
【００２３】
ここで、停電によりマイクロコンピュータ４０の作動が停止すると計時手段４１による計時も停止し、復電したときは計時手段４１の計時開始初期値が設定されていないため、計時手段による計時がなされていない状態となる。そして、「時刻非表示モード」であったときに、時刻表示部３１に何の表示も行なわないとすると、使用者はこのように計時手段４１による計時がなされていない状態にあることを認識することができない。
【００２４】
そして、計時手段４１による計時がなされていない状態にあるときは、自動湯張り運転の予約動作を行なうことができないため、使用者が風呂予約スイッチ１６を操作しても、自動湯張り運転の予約を設定することができず、使用者に不安感を与えることが考えられる。また、計時手段４１による計時がなされていないことを表示する手段を専用に備えると、部品コストが増加する。
【００２５】
そこで、このように、「時刻非表示モード」及び「省電力表示モード」に設定された場合であっても、時刻表示部３１を点灯して計時手段４１の計時開始初期値が設定されていないことの報知を優先して行ない、使用者に計時開始初期値の設定を促すことで、使用者に不安感を与えることを防止して、使用者の使い勝手を向上させることができる。
【００２６】
また、続くＳＴＥＰ２で「時刻非表示モード」に設定されていたとき、及びＳＴＥＰ３で給湯器５０が待機状態であったときは、ＳＴＥＰ２０に分岐する。そして、ＳＴＥＰ２０で、マイクロコンピュータ４０は時刻表示部３１を消灯状態とし、これにより、表示手段１０の消費電力を低減している。
【００２７】
次のＳＴＥＰ４及びＳＴＥＰ４から分岐したＳＴＥＰ３０は時刻表示禁止手段４２による処理である。時刻表示禁止手段４２は、ＳＴＥＰ４で「省電力表示モード」であって、ＳＴＥＰ３０で給湯器５０が給湯運転を停止しているときには、ＳＴＥＰ２０に分岐する。これにより、「時計表示モード」に設定されているときであっても、「省電力表示モード」に設定されているときには、給湯運転の停止中に時刻表示部３１が消灯状態とされ、表示手段１０の消費電力を一層低減させることができる。
【００２８】
一方、ＳＴＥＰ４で「通常表示モード」に設定されていたときにはＳＴＥＰ５に進み、マイクロコンピュータ４０は、時刻表示部３１を点灯して計時手段により計時されている現在時刻を表示する。そして、図３のＳＴＥＰ６に進み、いずれかのスイッチが操作されたときにＳＴＥＰ４０に分岐する。
【００２９】
ＳＴＥＰ４０で、スイッチ操作が時計スイッチ１３、時設定スイッチ１４、及び分設定スイッチ１５による時刻合わせ操作であったときは、ＳＴＥＰ４１に進み、マイクロコンピュータ４０は、計時手段４１による計時開始時刻を設定し、ＳＴＥＰ４２で計時手段４１の計時を開始してＳＴＥＰ７に進む。また、ＳＴＥＰ４０で、スイッチ操作が時刻合わせ操作以外の操作であったときには、ＳＴＥＰ５０に分岐して各操作に応じた処理を実行し、ＳＴＥＰ７に進む。
【００３０】
そして、ＳＴＥＰ７において、マイクロコンピュータ４０は給湯器５０から供給される電源の状態が正常であるか否かを判断し、電源状態が正常であったときは図２のＳＴＥＰ１に戻る。一方、ＳＴＥＰ７で電源状態が正常でなかったときには、ＳＴＥＰ８に進んでマイクロコンピュータ４０は作動を停止する。
【００３１】
なお、本実施の形態では、時刻未設定表示手段４３を備えて、図２のＳＴＥＰ１で計時手段４１の計時が開始されていないときに、ＳＴＥＰ１０に分岐して時刻未設定を報知する表示を行なったが、時刻未設定手段４３を備えない場合であっても本発明の効果を得ることができる。
【００３２】
また、本実施の形態では、時刻表示禁止手段４２を備えて、図２のＳＴＥＰ４で「省電力表示モード」に設定され、且つＳＴＥＰ３０で給湯器５０が給湯運転を停止しているときに、ＳＴＥＰ２０に分岐して時刻表示部３１を消灯するようにしたが、時刻表示禁止手段４２を備えない場合であっても本発明の効果を得ることができる。
【図面の簡単な説明】
【００３３】
【図１】本発明のリモコン装置の構成図。
【図２】図１に示したリモコン装置の作動フローチャート。
【図３】図１に示したリモコン装置の作動フローチャート。
【符号の説明】
【００３４】
１…リモコン装置、１０…表示手段、１１…運転スイッチ、１３…時計スイッチ、１７…省電力スイッチ、３０…作動状態表示部、３１…時刻表示部、４０…マイクロコンピュータ、４１…計時手段、４２…時刻表示禁止手段、４３…時刻未設定表示手段、５０…給湯器
【図１】
2006162112.tif 000003
【図２】
2006162112.tif 000004
【図３】
2006162112.tif 000005